(57)【要約】  移動体装置の使用、所在地、非無線ネットワークソースからのデータに関連付けられた動作を含むネットワークトランザクション情報の収集および解析により、非社会的挙動の検知を行うための解析を自動化することができる。
2013514736.tif 000002
【特許請求の範囲】
【請求項１】
所在地情報管理システム（ＬＩＭＳ）であって、
コントローラコンピュータと、
前記コントローラコンピュータに対して動作可能に連結され、ネットワークイベントの履歴データを記憶するよう構成された履歴データベースと、
前記コントローラコンピュータに対して動作可能に連結され、メタデータを記憶するよう構成されたメタデータデータベースとを備え、
前記ＬＩＭＳは、無線ネットワークと、無線定位ネットワークと、ネットワーク情報、地理的情報、手動入力情報、および地理空間情報を含むオフラインソースとを含む多数のソースからの過去および現在のリアルタイムデータを利用し、多数のユーザおよび実体に亘る無線定位リソースの利用を最適化し、所在地認識インテリジェンスを生成するよう構成されることを特徴とするＬＩＭＳ。
【請求項２】
前記ＬＩＭＳはさらに、多数のソースから取得した過去およびリアルタイムのデータを解析し、メタデータの形態でインテリジェンスを生成し、前記メタデータを前記メタデータデータベースに記憶するよう構成されることを特徴とする請求項１に記載のＬＩＭＳ。
【請求項３】
前記ＬＩＭＳはさらに、事前に生成したメタデータを反復使用することにより、リアルデータおよびメタデータの双方を使用する新たな解析に自動的に与えるように構成され、
前記解析では、関心対象の潜在的挙動の識別、前記関心対象挙動に関連付けられた特定の移動体ユーザの識別、移動体装置ユーザ同士の関連付け、および移動体装置ユーザの識別を含む情報を生成することを特徴とする請求項２に記載のＬＩＭＳ。
【請求項４】
前記ＬＩＭＳは、優先度、精度、システム容量、位置判定実体（ＰＤＥ）の地理的分布、地形、人為的情報、およびネットワーク情報を含む要素の組み合わせに基づき、所在地リソースの利用を管理することを特徴とする請求項３に記載のＬＩＭＳ。
【請求項５】
前記ＬＩＭＳはさらに、特定の無線定位がいつ必要となるか、前記特定の無線定位がどの程度の精度で必要となるか、および与えられた現在の状況においてそれをどこで取得するのが最適かを判定するよう構成されることを特徴とする請求項４に記載のＬＩＭＳ。
【請求項６】
低精度定位に対して高精度定位をいつ要求するかを自動決定可能な決定サポートシステム（ＤＳＳ）ソフトウェアアプリケーションをさらに備えることを特徴とする請求項５に記載のＬＩＭＳ。
【請求項７】
前記ＤＳＳアプリケーションは、規則、データベース化された所在地、識別情報、およびトランザクション情報を使用することにより、ユーザ、移動体装置、関心対象所在地、およびその他の移動体装置間の関係を含むメタデータを決定する一連の優先的状況データに基づいて、一連のシナリオを判定することを特徴とする請求項６に記載のＬＩＭＳ。
【請求項８】
前記ＬＩＭＳはさらに、動的条件付ロジックとともにアクティビティおよび所在地の多次元ヒストグラムを使用することにより、近接による関連性判定を行い、この情報をトリガイベントとして使用するよう構成されることを特徴とする請求項７に記載のＬＩＭＳ。
【請求項９】
前記ＬＩＭＳはさらに、代替として所在地を使用することにより、ユーザと、ユーザ、グループ、および関心対象所在地間の関係とを識別するよう構成されることを特徴とする請求項８に記載のＬＩＭＳ。
【請求項１０】
前記ＤＤＳアプリケーションによってメタデータ解析が使用されることにより、移動体装置の反復リスクプロファイルを蓄積することを特徴とする請求項９に記載のＬＩＭＳ。
【請求項１１】
高リスク閾値を有する移動体装置には、追加精査が施されることを特徴とする請求項１０に記載のＬＩＭＳ。
【請求項１２】
前記履歴データベースは、トリガによるイベントを含み、
前記イベントは、ＩＭＳＩ、ＩＭＥＩ、ＭＳ−ＩＳＤＮ、およびＴＭＳＩ識別子を含む移動体識別子と、受信番号、発信番号、およびメッセージ種別を含むイベント詳細と、イベント報告から取得の無線ネットワークパラメータより収集した所在地情報とを含むことを特徴とする請求項１１に記載のＬＩＭＳ。
【請求項１３】
前記ＬＩＭＳはさらに、マスデータの動作アルゴリズムへのリアルタイムにおける流れ、過去のネットワークイベントに係る履歴データ、過去のメタデータ、およびユーザ提供データの組み合わせより、複合トリガを生成するよう構成されることを特徴とする請求項１２に記載のＬＩＭＳ。
【請求項１４】
前記ＬＩＭＳはさらに、移動体装置の発信パターンおよび履歴を解析に使用し、登録および所在地更新を含む非通話関連情報を使用することにより疑わしい挙動およびイベントを認識するよう構成されることを特徴とする請求項１３に記載のＬＩＭＳ。
【請求項１５】
前記履歴データベースは、所在地更新、ハンドオーバー、起動時ＩＭＳＩ取付、および終了時登録抹消を含むメッセージ送信関連イベントと無線通信ネットワークの制御イベントとの双方に係る記録を含むことを特徴とする請求項１４に記載のＬＩＭＳ。
【請求項１６】
トリガ情報およびその他のデータを、イベント、時刻、およびジオフェンス境界に関してデータベース化された情報と組み合わされた一連のｉｆ−ｔｈｅｎ−ｅｌｓｅルールでＤＳＳにより処理することでメタデータを生成し、
前記メタデータにより、前記ＬＩＭＳは、識別情報、目的、および他の移動体ユーザとの関係に対する代替として移動体の所在地を使用する解析が可能となることを特徴とする請求項１５に記載のＬＩＭＳ。
【請求項１７】
前記履歴データベースは、
ＴＭＳＩ、ＩＭＳＩ、ＩＭＥＩ、およびＭＳＩＳＤＮの１つ以上を含む、前記特定の移動体に関して利用可能なすべての既知の識別子を含んだ各イベント毎の選択情報を含む、一連の移動体装置のカバー領域において発生したネットワークイベントトランザクションに係る情報と、
ハンドオーバ、移動体発信通話、受信ＳＭＳ、ダイアル番号、およびタイムスタンプを含む前記イベント種別を含んだイベント関連情報と、
ネットワーク種別に応じたイベント関連ネットワーク情報と、
算出した所在地を含む特定のイベント毎のメタデータとを含むことを特徴とする請求項１６に記載のＬＩＭＳ。
【請求項１８】
前記メタデータデータベースは、
マップ情報と、セルサイト所在地、アンテナ情報、および過去に作動した特定アルゴリズムの定位結果を含むネットワーク情報とを含むユーザ入力情報と、
前記ＬＩＭＳの処理またはアルゴリズムの結果として生成される情報とを含むことを特徴とする請求項１７に記載のＬＩＭＳ。
【発明の詳細な説明】
【技術分野】
【０００１】
関連出願への相互参照
本出願は、２００９年１２月８日出願の米国特許出願第１２／６４２，０５８号の利益を主張し、その開示内容全体を参照としてここに組み込む。
【０００２】
技術分野
本発明は一般的に、移動局（ＭＳ）とも称される、アナログもしくはデジタルのセルラーシステム、パーソナルコミュニケーションシステム（ＰＣＳ）、高度特殊化移動無線（ＥＳＭＲ）、およびその他の無線通信システムにおいて使用される無線装置を定位する方法および装置に係る。より具体的には、本発明は、無線定位システム（ＷＬＳ）および無線通信ネットワーク（ＷＣＮ）により回収された定位識別情報を使用して移動体加入者間の関係を計算し、その後、定位の優先性、要求されるサービスの質、およびリソースの利用可能性に基づき、所在地生成リソースを管理する技術に係るが、これに限定されるものではない。
【背景技術】
【０００３】
発明の背景
定位は常に、移動体通信システムの一特性であった。セルラー無線システムの出現により、セル、セクター、ページング領域、およびサービス領域の概念は、無線通信ネットワーク（ＷＣＮ）の機能に本来備わっているものとされた。ＷＣＮ内に生成されたこれらの無線カバー領域は、地理的領域と一対一の対応関係にあるものの、移動体装置とＷＣＮとの間の通信提供外の所在地基盤サービスを実現する上でその使用が制限されるものであった。
【０００４】
１９９４年のパーソナルコミュニケーションシステム（ＰＣＳ）競売の一部として、公共保安部の命令により、連邦通信委員会は、セルラーシステムおよびＰＣＳについて無線緊急サービス通話の定位を要求した。ＦＣＣの無線改良９−１−１（Ｅ９−１−１）規則は、９−１−１発信者および公共保安部に対して無線９−１−１通話に関する地理的所在地情報を提供することにより、無線９−１−１サービスの効率および信頼性を向上するように設計された。定位の精度は、既存のＷＣＮが展開した所在地情報を地理的表現に変換して公共保安部が利用できるようにすることを要求するＥ９−１−１のフェーズＩ規則から変更された。ＦＣＣによるＥ９−１−１規則のフェーズＩＩは、緊急サービスの無線通話につき、高精度の定位を要求するものであった。結果として、ネットワーク基盤技術および移動体基盤技術の双方につき、Ｅ９−１−１のフェーズＩＩによる高精度定位に係る命令を満たすべく対応がなされた。
【０００５】
広範囲の従来技術において認識され注目されてきたように、セルラー無線通信装置を定期的に、確実に、そして迅速に定位する能力があれば、公共の保安および利便性、また商業的生産性の観点において甚大な公共の利益を供与することができる。商業的および行政的な要求に応じて、インフラ基盤、ハンドセット基盤、およびネットワーク基盤の無線定位システムが多数開発されてきた。
【０００６】
インフラ基盤の定位技術では、ＷＣＮ内で使用される情報を使用して凡その地理的所在地を生成する。インフラ基盤の定位技術としては、ＣＩＤ（サービングセルＩＤ）、ＣＩＤ−ＲＴＦ（サービングセルＩＤと無線飛行時間型時間ベース測距）、ＣＩＤＴＡ（サービングセルＩＤと時間ベース測距）および改良セルＩＤ（ＥＣＩＤ、サービングセル、時間ベース測距、および到達出力差の混成）が挙げられる。インフラ基盤の定位に先行するＷＣＮ情報生成信号が、ハンドセットまたは基地局にて回収され、ＷＣＮトポロジーおよび地理的トポロジーの双方についてデータベース化された知識を持ち合わせた移動体定位サーバへと送達されればよい。
【０００７】
ネットワーク基盤定位ソリューションでは、無線通信ネットワーク内もしくはそのオーバーレイにおける特別受信機および／または受動モニターを使用し、移動体装置の所在地および速度を判定するために使用するアップリンク（移動体装置から基地局への）信号を回収する。オーバーレイネットワーク基盤技術としては、アップリンク到達時間差（ＴＤＯＡ）、到達角度（ＡＯＡ）、マルチパス解析（ＲＦフィンガープリント法）、および信号強度測定（ＳＳＭ）が挙げられる。無線移動体ユニットの所在地判定に用いられるネットワーク基盤システムの例は、Ｓｔｉｌｐらによる米国特許第５，３２７，１４４号、Ｓｔｉｌｐらによる米国特許第５，６０８，４１０号、Ｋｅｎｎｅｄｙらによる米国特許第５，３１７，３２３号、Ｍａｌｏｎｅｙらによる米国特許第４，７２８，９５９号および関連技術に見出される。
【０００８】
移動体装置基盤の定位ソリューションでは、移動体装置内の特別電子回路および／またはソフトウェアを使用して送信信号を回収する。所在地判定は装置内で実施可能であり、または所在地判定を行う地上側サーバに情報を送信することもできる。装置基盤の定位技術としては、ＣＩＤ（サービングセルＩＤ）、ＣＩＤ−ＲＴＦ（サービングセルＩＤと、無線飛行時間型時間ベース測距）、ＣＩＤＴＡ（サービングセルＩＤと、時間ベース測距）、改良セルＩＤ（ＥＣＩＤ、サービングセル、時間ベース測距、および到達出力差の混成）、改良フォワードリンク三辺測量（ＡＦＬＴ）、改良観測時間差（Ｅ−ＯＴＤ）、観測到達時間差（ＯＴＤＯＡ）、および全地球的航法衛星システム（ＧＮＳＳ）位置決めが挙げられる。ＧＮＳＳシステムの一例としては、米国のＮａｖＳｔａｒによる全地球的位置決めシステム（ＧＰＳ）が挙げられる。
【０００９】
ネットワーク基盤技術と移動体装置基盤技術との混成により、スピード、精度、生産性、および定位の一貫性の改善を含むサービス品質の向上を図ることができる。無線定位システムは地理的位置を判定し、場合によっては、無線装置の移動スピードおよび移動方向を判定する。無線定位システムでは、アップリンク（装置からネットワークへの）信号、ダウンリンク（ネットワークから装置への）信号、または非通信ネットワーク信号（固定ビーコン、地上波ブロードキャスト、および／または衛星ブロードキャスト）を使用する。ネットワーク基盤の定位ソリューションでは、無線通信ネットワーク内、またはそのオーバーレイにおける特別受信機および／または受動モニタを使用して、所在地判定に使用する送信信号を回収する。ネットワーク基盤技術としては、アップリンク到達時間差（ＴＤＯＡ）、到達角度（ＡＯＡ）、マルチパス解析（ＲＦフィンガープリント法）、および信号強度測定（ＳＳＭ）が挙げられる。ネットワーク基盤技術の混成により、スピード、精度、生産性、および定位の一貫性を含むサービス品質の向上を図ることができる。
【００１０】
無線通信ネットワークから無線定位システムへ提供されるか、またはネットワーク基盤システムにおける所在地判定を可能にし、またはそれを改良するためにオフラインでデータベース化された付随情報の使用について、Ｍａｌｏｎｅｙらによる米国特許第５，９５９，５８０号で紹介されており、またＭａｌｏｎｅｙらによる米国特許第６，１０８，５５５号および６，１１９，０１３号においてさらに展開されている。十分な測定データが導き出されるか、またはそれが使用可能な場合に、インフラ基盤の所在地判定システムに係るこれらの記載および以下の関連技術の説明により、ロバストで効率的な所在地判定性能を実現することができる。
【００１１】
１９８４年のダイヤル直通セルラーテレコミュニケーションの出現以来、特にここ数十年で、セルラー産業では、無線電話により使用可能なエアインタフェースプロトコル、無線電話または携帯電話が動作する周波数帯域、および「パーソナルコミュニケーションサービス」および「無線」等を含む携帯電話を指すか、携帯電話に関連する用語が増大してきた。また、ショートメッセージサービス（ＳＭＳ）、パケットデータサービス（例えば、ＧＰＲＳ（ＧＳＭ（登録商標）汎用パケット無線サービス）、およびＩＰマルチメディアサブシステム（ＩＭＳ）のようなデータサービスが、ボイス、データ、およびボイスデータ対応の無線装置の数および種別の増加に伴って急増してきた。
【００１２】
無線産業にて現在使用されているエアインタフェースプロトコルとしては、ＡＭＰＳ、Ｎ−ＡＭＰＳ、ＴＤＭＡ、ＣＤＭＡ、ＴＳ−ＣＤＭＡ、ＯＦＤＭ、ＯＦＤＭＡ、ＧＳＭ、ＴＡＣＳ、ＥＳＭＲ、ＧＰＲＳ、ＥＤＧＥ、ＵＭＴＳ、ＷＣＤＭＡ、ＷｉＭＡＸ、ＬＴＥ等が挙げられる。
【００１３】
ＣＤＭＡという用語は、ＣＤＭＡデジタルセルラー（ＴＩＡ／EＩＡ  ＴＲ−４５．４規定ＩＳ−９５、ＩＳ−９５Ａ、ＩＳ−９５Ｂ）、パーソナルコミュニケーションサービス（Ｊ−ＳＴＤ−００８）、および３ＧＰＰ２規定ＣＤＭＡ−２０００規格およびＵＭＢ規格と、エアインタフェースとを表して使用される。ＵＭＴＳという用語は、標準規定の３ＧＰＰ仕様広域ＣＤＭＡ（Ｗ−ＣＤＭＡ）ベースユニバーサルモバイルテレコミュニケーションシステムおよび無線エアインタフェースを指して使用される。ＷｉＭＡＸという用語は、ＩＥＥＥ規定８０２．１６「広帯域無線」、８０２．２０「移動体広帯域無線アクセス」、および８０２．２２「地域無線ネットワーク」技術を表して使用される。本発明は、中でも３ＧＰＰ規定ロングタームエボリューション（ＬＴＥ）および３ＧＰＰのＬＴＥ改良型システムにも適用される。
【００１４】
本開示の主題に関するさらなる背景情報については、ＴｒｕｅＰｏｓｉｔｉｏｎ社またはＴｒｕｅＰｏｓｉｔｉｏｎ完全所有の子会社ＫＳＩによる以下の特許および特許出願を参照されたい。１９９９年１月８日出願米国出願シリアル番号０９／２２７，７６４のタイトル「無線定位システムの較正」および米国特許第６，１８４，８２９Ｂ１の継続出願として現在米国特許第６，３１７，６０４Ｂ１である、２０００年３月３１日出願の米国出願シリアル番号０９／５３９，３５２のタイトル「無線定位システムの集中データベース」の一部継続出願として現在米国特許第６，７８２，２６４Ｂ２である、２００１年７月１８日出願の米国出願シリアル番号０９／９０９，２２１のタイトル「無線定位システムにおける通話情報モニタリング」の継続出願として現在係属中の、２００４年１月２９日出願の米国出願シリアル番号１０／７６８，５８７のタイトル「無線定位システムにおける通話情報モニタリング」の一部継続出願としての、２００５年６月１０日出願のシリアル番号１１／１５０，４１４のタイトル「無線定位システムにおける所在地基盤サービスアプリケーションの改良トリガ」の継続出願としての、米国出願シリアル番号１１／１９８，９９６のタイトル「無線定位システムにおけるジオフェンシング」の一部継続出願としての、米国出願シリアル番号１１／９６５，４８１のタイトル「加入者選択によるエリア基盤サービス制御」（その全体を参照として本明細書に組み込む）。Ｍａｌｏｎｅｙらによる米国特許第５，９５９，５８０号、Ｍａｌｏｎｅｙらによる米国特許第６，１０８，５５５号、およびＭａｌｏｎｅｙらによる米国特許第６，１１９，０１３号。各々、その全体を参照として本明細書に組み込む。
【発明の概要】
【発明が解決しようとする課題】
【００１５】
概要
ロケーションインテリジェンス管理システム（ＬＩＭＳ）は、多数のソース（例えば、無線ネットワーク、無線定位ネットワーク、およびネットワーク情報、地理的情報、手動入力情報、および地理空間データ等のオフラインソース）からの利用可能なデータ（過去およびリアルタイムの双方を含む）を利用することにより、多数のユーザおよび実体に亘る無線定位リソースの利用（計画および選択）を最適化し、所在地認識インテリジェンスを創出する、データ取得、記憶、および決定サポートシステムである。ＬＩＭＳは、アルゴリズム、制御ロジック、データ記憶、プロセッサ、および入出力装置を備え、多数のソースから得られた過去およびリアルタイムのデータを組み合わせるか個々に解析することにより、通常無理なく容易に入手することのできないメタデータの形態でインテリジェンスを創出する。これらのアルゴリズムは、以前に生成したメタデータを繰り返し使用することにより、メタデータとリアルデータ（過去およびリアルタイム）との双方を使用する新たな解析に自動的に与えることができる。このような解析により、関心対象の潜在的挙動の識別、関心対象の挙動に関連付けられた特定移動体ユーザの識別、公的ＩＤが使用不能な場合（例えばプリペイド移動体装置）の移動体装置ユーザと移動体装置ユーザ識別情報との関連性等の情報生成を行う。そしてＬＩＭＳは、優先度、精度、システム容量、位置判定機器（ＰＤＥ）の地理的分布、地形、人工物情報（既知のトンネル、建造物、橋等）、ネットワーク情報（セル分布、カバー領域、ネットワークトポロジー、ネットワークステータス等）に限定されないがこれを含む要素の組み合わせに基づき、ＰＤＥ定位リソース利用を管理することにより、交通チャンネル、制御チャンネル、およびデータセッションにおける定位を実施する。
【００１６】
図面の簡単な説明
以下の詳細な説明と同様、以上の概要は、添付の図面とともに読むことで一層理解されるものである。本発明を説明する目的で、図面には本発明の一例としての構成を示したが、本発明は、開示の特定の方法および手段に限定されるものではない。図中、
【図面の簡単な説明】
【００１７】
【図１】図１は、その他のシステムノードとの関連で高レベルＬＩＭＳシステムを概略的に描いたものである。
【図１ａ】図１ａは、ＧＥＲＡＮベースの無線通信ネットワークにおいて例示されたＬＩＭＳシステムの一例を描いたものである。
【図２】図２は、ＬＩＭＳシステムの機能的サブシステムを説明するものである。
【図３】図３は、特定ＬＩＭＳ対応アプリケーションコマンド制御型即席爆発装置の発見および無効化のための処理フローを示すものである。
【発明を実施するための形態】
【００１８】
実施形態の詳細な説明
さて本発明の実施形態につき説明する。まず問題の概略につき詳細な説明を提供し、その解決法につき、より詳細な説明を提供する。
【００１９】
図１は、汎用無線通信ネットワーク（ＷＣＮ）に展開されたＬＩＭＳを説明するものである。無線アクセスネットワーク（ＲＡＮ）１０１は、移動体装置とコアネットワーク１０２との間の無線リンクを提供する。ＲＡＮネットワークの例としては、移動用全地球的システム（ＧＳＭ）、ｉＤＥＮ、Ｔｅｔｒａ、ユニバーサル移動電話システム（ＵＭＴＳ）、ＷｉＭＡＮ、ＷｉＭＡＸ、ロングタームエボリューション（ＬＴＥ）、汎用アクセスネットワーク（ＧＡＮ）、およびＣＤＭＡプロトコルのとりわけＩＳ−９５／ＩＳ−２０００ファミリーが挙げられる。コアネットワークは、基本的な切り替え、経路指定、トランスコーディング、計測、移動体から地上へ、地上から移動体へ、および移動体間の接続および課金を行うのに必要な相互動作を行う。コアネットワークは、公共相互接続ネットワーク１０３（名目上、回路切替接続のトランキングを行うＳＳ７ネットワーク、またはデジタルパケットデータ接続のためのＴＣＰ／ＩＰネットワーク）を介して、地上側ネットワークおよびその他移動体ネットワークに接続する。
【００２０】
ＬＩＭＳ１０８サブシステムは、リンクモニタリングシステム（ＬＭＳ）１０６を介してＲＡＮ１０１およびコアネットワーク１０２に接続される。ＴｒｕｅＰｏｓｉｔｉｏｎ社による２００４年８月２４日付の特許第６，７８２，２６４号「無線定位システムにおける通話情報モニタリング」および米国特許第７，１６７，７１３号「無線定位システムにおける通話情報モニタリング」および２００５年６月１０日付の米国公開特許出願２００６０００３７７５に展開された「無線定位システムにおける所在地基盤サービスアプリケーションの改良トリガ」に開示のように、エイビスモニタリングシステム（ＡＭＳ）またはリンクモニタリングシステム（ＬＭＳ）１０６を、無線定位システムとの連携で展開し、無線定位システムに対するトリガ機能およびタスク機能を担う受動的手段を提供することができる。コスト削減対策として、ＬＭＳ１０６は、エイビス（ＢＴＳからＢＳＣへの）リンクのみをモニタリングするよう展開されてもよく、あるいは、必要なＬＭＳ機能をＢＳＣに直接組み込むようにしてもよい。無線トランザクション、ネットワークトランザクション、移動体識別子、および加入者識別子を識別するＬＭＳのすべての機能にとって、ＧＳＭネットワークの一例としての、エイ、エイビス、およびＧＳＭ−ＭＡＰインタフェースのモニタリングが必要となる。ＬＭＳ１０６の機能は、中央サーバクラスタに折り返し報告を行う受動プローブのネットワークとして、または、例えば基地局コントローラ（ＢＳＣ）または無線ネットワークコントローラ（ＲＮＣ）のような無線インフラに包括されるソフトウェア基盤アプリケーションとして展開可能である。ＬＭＳ１０６は、デジタルデータ接続１０４を介してＲＡＮ１０１に接続し、またデジタルデータ接続１０５を介してコアネットワーク１０２に接続する。ＬＭＳ１０６は、デジタルデータ接続１１１を介してＬＩＭＳ１０８に接続される。ＬＭＳ１０６は、定位信号回収および計算の始動時にトリガ、フィルタ、およびＬＩＭＳ１０８によりＬＭＳ１０６に事前設定された優先度につき最短待機時間が要求される場合、デジタルデータ接続１１５を介して位置判定実体１１４に選択的に接続してもよい。
【００２１】
ＬＩＭＳ１０８は、特別な相互接続ソフトウェアアプリケーションおよびデータベースを作動する汎用コンピュータサーバおよびルータのセットである。ＬＩＭＳ１０８は、デジタルデータリンク１１２および１１３を介して、少なくともネットワークイベント履歴データベース１１０およびメタデータデータベース１０９を含む多数のデータベースに接続する。ＬＩＭＳ１０８は、特定の無線定位がいつ必要となるか、どの程度の精度が要求されるのか、所定の現状況からどこでそれを得るのが最適か（例えば、異なるＰＤＥがどの程度のビジー状態であるか、または所定の地理的領域内における定位の同時要求の集中程度）を判定する決定サポートシステムである。そしてＬＩＭＳは、優先度、精度、システム容量、ＰＤＥの地理的分布、地形、人工物情報（例えば、既知のトンネル、建造物、橋）、ネットワーク情報（セル分布、カバー領域、ネットワークトポロジー、ネットワークステータス）を含むがこれに限定されない要素の組み合わせに基づき、ＰＤＥ１１４の定位リソース利用を管理し、交通チャンネル、制御チャンネル、およびデータセッション所在地に関する定位を実施する。
【００２２】
ＬＩＭＳ１０８は、優先レベル、リソースの利用可能性、および要求される定位サービス品質に応じて、定位リソースを管理する。ＬＩＭＳ１０８は、決定サポートシステム（ＤＳＳ）ソフトウェアアプリケーションを含み、潜在的に限定されたＰＤＥ１１４定位リソースを要求しない精度の低い定位に対して、いつ高精度の定位を必要とするかを自動決定する。ＤＳＳアプリケーションは、規則、データベース化された所在地、識別情報、トランザクション情報（ネットワークまたは移動体イベント、時刻、ジオフェンス境界）を使用して、ユーザ、移動体装置、関心所在地、およびその他の移動体装置の関係等（メタデータデータベースに記憶される）メタデータを生成する状況に係る事項の優先的な組み合わせに基づき、一連のシナリオを判定する。ＬＩＭＳは、アクティビティおよび所在地にかかる多次元ヒストグラムを動的条件付ロジックとともに使用し、後にトリガとなるイベントとして使用可能な近接により関連性を判定し、また所在地を代替として使用することによって（メタデータの）ユーザと、ユーザ、グループ、および関心所在地の関係とを識別することができる。移動体装置の自動リアルタイム高精度定位の設定に際して、ＤＤＳアプリケーションによりメタデータ解析が使用され、反復「リスクプロファイル」を蓄積し、各装置に対して重み付けされたパターンおよび要素の蓄積数が段階的に増加すると、高リスクの閾値を有する移動体に対して追加的な精査が実施され、そのユーザが潜在的にフラグ付けされる。
【００２３】
ＬＩＭＳ１０８は、ＬＭＳ１０６から一斉にインフラ生成タスク情報を受信し、現在作動しているアルゴリズムのリアルタイム処理に係るデータを入手し、ネットワーク基盤定位システム（ＰＤＥ）がより高精度の定位を要求どおり実施するのに必要な詳細に加え、将来の解析のためにネットワークイベント履歴データベース１１０に追加する。ネットワークイベント履歴データベース１１０は、ＬＭＳに設定されたすべてのトリガによるすべてのイベントを含み、このイベントには、イベントレポートから取得した無線ネットワークパラメータより収集した所在地情報に加え、移動体識別子（例えば、ＩＭＳＩ、ＩＥＭＩ、ＭＳ−ＩＳＤＮ、ＴＭＳＩ）イベント詳細（例えば、受信番号、発信番号、メッセージタイプ）が含まれる。ＬＩＭＳ１０８は、マスデータの動作アルゴリズムへのリアルタイムの流れ、過去のネットワークイベント履歴データ１１０および過去のメタデータデータベース１０９の使用、および前述のＰＤＥ利用を最適化するＤＳＳの使用の組み合わせより、独自の複合トリガを生成する。
【００２４】
ネットワークイベント履歴データベース１１０により可能となるＬＩＭＳ１０８の能力の例として、ジオプロファイル（時間関数としての所在地およびイベント、可能性およびパターンの解析）判定、ヒストグラムおよび条件付ロジックに基づく近接による関連付け（時間関数としての近接所在地と、精度その他の要素に考慮した可能性およびパターンの解析とに基づく２つ以上の装置間の相関関係）、回避挙動（例えば、ＳＩＭスワッピング、同一ユーザによる多数のＳＩＭの使用、同一ユーザにより携行される多数の電話の使用、移動体装置のごく短い期間の起動、特定所在地における移動体装置の頻繁な起動と終了）の過去のパターン検知が挙げられる。ＬＩＭＳ１０８は、移動体の発信パターンや履歴を解析に使用することができるが、登録および所在地更新のような非通話関連情報を使用してさらなる解析を行い、近接を利用してジオプロファイルおよび関連性について改良を加えることにより、疑わしい挙動やイベントを認識することができるという点がより重要である。ネットワークイベント履歴データベース１１０は、メッセージ関連イベントと、所在地更新、ハンドオーバー、起動時ＩＭＳＩ取付、終了時登録抹消のようなＷＣＮ制御イベントとの双方に関する記録を含む）。さらに、メタデータデータベース１０９からの情報（非無線、非送信、または生成情報を含む）は、決定マトリクスにおいても使用可能である。例えば、ユーザが関心対象の地理的エリアに関して入力した情報、既知の特別な地形条件、または特定ケースの情報を使用して、フィルタリングおよび相関解析のためにさらなるインテリジェンスを追加することができる。さらに、メタデータデータベース１０９は、アルゴリズム（例えば、ジオフェンスオペレーション、目標監視アクティビティ）を過去に実施した際に生成したデータを含み、このデータを維持して使用することができる。
【００２５】
２００５年６月１０日出願米国特許出願シリアル番号１１／１５０，４１４のタイトル「無線定位システムにおける所在地基盤サービスアプリケーションの改良トリガ」において、ＴｒｕｅＰｏｓｉｔｉｏｎ社は、事前設定されたトリガに基づき、定位の自動試行を行うイベントおよびトランザクションに対し、ＷＣＮのモニタリングを可能にするトリガの基本概念を紹介した。決定サポートシステム（ＤＳＳ）とＬＩＭＳ１０８とを使用し、また通事的なメタデータのデータベースを使用することにより、さらなる論理層に基づく新しいクラスのトリガが可能となり、履歴データまたはオフラインデータに基づくフィルタリングが可能となる。基本的なトリガにより送達した情報およびその他のデータは、一連のｉｆ−ｔｈｅｎ−ｅｌｓｅルールを、イベント、時刻、およびジオフェンス境界に係るデータベース化された情報と組み合わせることでＤＳＳによる処理を行い、メタデータのデータベースを作成する。新規に作成されたメタデータにより、ＬＩＭＳは、識別情報、目的、およびその他の移動体ユーザとの関係に対する代替として移動体の所在地を使用した解析を実施することができる。同メタデータを使用して、次に複合トリガを新たに生成するフォワードルッキングアルゴリズムを改良することができる。
【００２６】
リアルタイムネットワーク情報との連携でネットワークイベント履歴データベース１１０を使用する複合トリガの一例としては、２つ以上の移動体装置がいつ、一定期間に亘って同一所在地での挙動を示したか、例えば、複数期間に亘って周回しながらともに所在しており、一緒に移動していることを示すものの、当事者間で通話やＳＭＳを行ったことを示唆する情報が履歴データベースに無いような場合が挙げられる。するとＬＩＭＳは、高精度ＰＤＥリソースの利用を決定し、この発見的情報をさらに検証し、または嫌疑をかけることができる。この高精度定位は、その時点で同対象の所在地を判定するために受動的または能動的に生成したリアルタイムのネットワークイベントに基づくものである。これにより、期間が延長されてもその動作を持続し、相関関係についてさらなる確信を得ることができるのである。
【００２７】
その他の例としては、ネットワークを出入りするリアルタイムデータと比較において、履歴データに基づくＳＩＭスワッピングの自動検知が挙げられる。一旦検知がなされると、ＬＩＭＳはＰＤＥを始動して、ＬＩＭＳに設定した、発生所在地領域、日時制約、その他既知の移動体装置に対する近接等のユーザ条件に応じて、その時点で、または継続的に移動体装置を高精度で定位させることができる。高精度リソースは限定的であり、すべての移動体およびすべてのネットワークイベントに対して提供できるものでないため、高精度定位の自動使用が、一連の高リスクの移動体装置およびそのユーザについて、その他の移動体装置との将来の相関関係、公的イベント（例えば、犯罪、集会等）に関する関心場所および地点（例えば、トンネルの出入り口地点、展望地点）につき、メタデータのデータベースに一連の高精度情報を構築する一助となる。
【００２８】
ネットワークイベント履歴データベース１１０（実際には１つ以上のデータベースであってよい）は、構成のようにすべての移動体装置のカバー領域において発生したすべてのネットワークイベントトランザクションに関する情報を含んでいる。これは、包含する識別子のみまたは除外する識別子のみのリストに基づいて特定の移動体装置に絞ることもできる。前記データベースは、特定移動体について利用可能なすべての既知の識別子（ＴＭＳＩ、ＩＭＳＩ、ＩＭＥＩ、ＭＳＩＳＤＮのうちの１つ以上）を含む、各イベント毎の選択情報を含む。前記データベースはまた、イベント種別（例えば、ハンドオーバー、移動体からの発信、受信したＳＭＳ等）、ダイアル番号、タイムスタンプ等の関連イベントデータを含むイベント関連情報をも含む。さらに各イベントは、ネットワーク種別（ＧＳＭのセルサイトおよびＴＡ、ＵＭＴＳのＣＩおよびＳＡＩ等）に応じた関連ネットワーク情報を含む。ネットワークイベント履歴データベースはまた、実際にはネットワークイベントにおいて存在していなかったかもしれないが、ＬＭＳまたはＬＩＭＳにおいて事前に提供された相関関係により前記移動体装置に属することがわかっている（ＭＳＩＳＤＮのような）追加識別子に加え、利用可能な最善の定位処理（高精度を含む）に基づいて計算されたＸ、Ｙ所在地を含む、各特定イベントに関する（その他のイベントと無関連または組み合わせとしての）いくつかのメタデータをも含む。
【００２９】
メタデータデータベース１０９（実際には１つ以上のデータベースであってよい）は、ユーザが（手動もしくは自動で）入力した情報と、ＬＩＭＳ１０８上での処理またはアルゴリズムの結果として生じた情報とを含む。ユーザ入力データには、通り、地形、雑踏、建造物、植物、トンネル、パイプライン、設備（空港、基地）、関心対象場所または領域（例えば、建造物、越境地点、ジオフェンス定義）に限られないがこれを含むマップ情報を含むことができ、また、セルサイト所在地、アンテナサイズ、方位、方向、下り傾斜に限られないがこれを含むネットワーク情報を含むこともでき、また過去にアルゴリズムを実施した際に使用した条件およびパラメータに関連する特定情報に加え、過去に実施した特定アルゴリズム（例えば、ジオフェンス動作、または監視動作）の高精度定位結果を含むこともできる。
【００３０】
ＧＥＲＡＮネットワークにおけるＬＩＭＳプラットフォーム
図１ａは、実例としての実施形態に係るＬＩＭＳプラットフォームと、ＧＥＲＡＮ（ＧＰＲＳ付ＧＳＭ）ネットワークに組み込んだ関連サブシステムとの機能ノードを詳述する図である。
【００３１】
メタデータ（データについてのデータ）データベース１０９は、ＬＭＳの回収したネットワークトランザクションのメッセージ送信より取得したデータおよび／またはその他のデータベースおよびソースから取得したデータに対して、ＬＩＭＳ自動処理またはＬＩＭＳのオペレータにより実施した解析の結果として得られた情報を含む。メタデータの例としては、過去の近接および発信パターンを含む移動体間の関連が挙げられる。リスク／脅威レベルに係る過去の査定がここにプロファイルされる。メタデータは、イベントに対する一致タイミングおよび近接、関心対象の移動体または所在地、移動体機器または移動体識別情報の変更、および移動体ユーザ間の関連等のデータの記憶および検索を可能にする多次元での索引付けを使用することができる。
【００３２】
履歴データベース１１０は、ＬＭＳを介して、またはセルラーネットワークから取得された記録（移動体識別子、タイムスタンプ、およびセルラーネットワーク所在地（ＣＧＩ、測距機能付きＣＧＩ））を含む。
【００３３】
ＢＴＳ（基地送受信局）１１７は、ＧＳＭ無線エアインタフェース１５７のネットワーク用の、ＧＳＭ規定の分散型無線接続ポイントである。ＢＴＳは、エアインタフェース上で送信されたデータの暗号化／暗号解読も担う。
【００３４】
ＢＳＣ（基地局コントローラ）１１８は、周波数分配、ハンドオーバ等の無線リソース管理と、場合によっては、トランスコーディングおよび多重化のタスクとを扱う。ボイス回線がＭＳＣ１２０に送られる一方で、データストリームは、パケットコントロールユニットを介してＢＳＣ１１８を通り、ＳＧＳＮ１１９へと送られる。
【００３５】
ＳＧＳＮ（サービングＧＰＲＳサポートノード）１１９は、ＧＰＲＳ装備移動体装置のセッションおよび移動管理を行う。ＳＧＳＮ１１９はまた、ＧＰＲＳ装備移動体装置との間でパケットデータストリームの転送を担うルータとしても機能する。
【００３６】
ＭＳＣ１２０は、ＧＳＭ移動体装置のセッションおよび移動管理を行う。ＭＳＣ１１９はまた、基本的なボイス回線切り替えタスクをサポートし、インテリジェントネットワーク構築およびその他ＳＳ７ネットワーク相互接続サブシステムのインタフェースとしても機能する。
【００３７】
ビジター所在地レジスタ（ＶＬＲ）（図示せず）、すなわち種々のＨＬＲ１２１からダウンロードしたユーザアカウント情報の動的データベースは、通常、ＭＳＣ１２０の演算プラットフォーム上にともに存在する。
【００３８】
ＨＬＲ（ホーム所在地レジスタ）１２１は主として、無線キャリアの顧客に係るユーザアカウント情報のデータベースである。ユーザアカウントデータベースは、課金情報、ステータス、現在／最終の既知のネットワークアドレス、およびサービス優先傾向を含む。
【００３９】
ＧＭＬＣ（ゲートウェイ移動体ロケーションセンター）１２２は、定位サービス用ゲートウェイ、ブリッジ、およびルータである。ＯＭＡ規定ＭＬＰまたはＬｅインタフェースのようなＩＰ基盤インタフェースは、ＧＭＬＣ１１２を介して、Ｌｇインタフェース（ＭＳＣ１２０へ）、Ｌｃインタフェース（ＳＣＰ（図示せず）へ）、またはＬｈインタフェース（ＨＬＲ１２１へ）のようなインタフェースを通じてＳＳ７ネットワーク基盤ノードに相互接続される。定位サービス用の基本管理、認証、課金およびアクセス制御機能もまた、ＧＭＬＣ１２２に搭載されてもよい。ＧＭＬＣ１１２はＬＩＭＳ１４０によって使用され、標準随時質問手続き、または、無線ネットワークとの接触を再開することで制御チャンネル送信信号を交換するためにアイドル状態の移動体を静かに呼び出すＳＭＳ種別０により、該アイドル状態の移動体１５７のネットワーク接続状態を確認する。
【００４０】
エイビスインタフェース１２３は、ＢＴＳ１１７とＢＳＣ１１８との間でデータを送信し、情報を制御する。エイビスインタフェース１２３は任意で設けられ、ＢＴＳ１１７とＢＳＣ１１８とが一体的に設けられてもよい。
【００４１】
Ｇｂインタフェース１２４は、ＢＳＣ１１８とＳＧＳＮ１１９との間でデータを送信し、情報を制御する。
【００４２】
Ａインタフェース１２５は、ＢＳＣ１１８とＭＳＣ１２０との間でデータを送信し、情報を制御する。
【００４３】
Ｇａインタフェース１２６は、ＳＧＳＮ１２６を、ゲートウェイＧＰＲＳサポートノード（ＧＧＳＮ、図示せず）と公共データネットワーク（ＰＤＮ）１５９とに相互接続する。
【００４４】
切替回路トランク１２７は、公共電話切替ネットワーク（ＰＴＳＮ）１６０をＭＳＣ１２０の切替設備と相互接続する。
【００４５】
ＳＧＳＮ１１９のＳＳ７ネットワーク相互接続１２８は、ユーザ情報の要求、定位タスクの付与および随時質問のためにＧＭＬＣとの通信に使用するネットワーク所在地およびＬｇインタフェースの更新、またはアイドル状態の移動体装置へのＳＭＳ種別０の送信を行うため、ＳＧＳＮ１１９をＨＬＲ１２１と相互接続するのに使用されるＧｒインタフェースを含む。
【００４６】
ＭＳＣ１２０のＳＳ７ネットワーク相互接続１２９は、ユーザ情報の要求、定位タスク付与および随意質問のためにＧＭＬＣとの通信に使用するネットワーク所在地およびＬｇインタフェースの更新、またはアイドル状態の移動体装置へのＳＭＳ種別０の送信を行うために、ＭＳＣ１２０をＨＬＲ１２１と相互接続するのに使用されるＤインタフェースを含む。
【００４７】
ここではＭＡＰ／ＣＡＰネットワーク１３０は、コアネットワーク１０２においてＳＳ７ノードを接続するのに使用される国際ＳＳ７パケットネットワークを示すのに使用されている。ＭＡＰ（移動体アプリケーション部）はノード間で送信される管理情報であり、ＣＡＰ（ＣＡＭＥＬアプリケーション部）は電話通信サービスおよびデータベースサービスを可能にするために使用されるインテリジェントネットワークプロトコルである。（図示しないがとりわけ）Ｇｒ、Ｌｇ、Ｌｈ、およびＤインタフェースはすべて、ＳＳ７ネットワークを横断する。
【００４８】
ＬＭＵ（所在地測定部）１３１は、ネットワーク基盤定位技術（ＴＤＯＡ、ＡoＡ、ＴＤＯＡ／ＡＯＡ）またはＴＤＯＡ／ＧＮＳＳ混成定位計算において使用されるアップリンク（移動体１５７からＢＴＳ１１７への）無線信号を回収するのに使用される、地理的に分布した無線受信機ネットワークである。
【００４９】
無線定位プロセッサ（ＷＬＰ）１３２は、ＬＭＵネットワーク１３１を管理し、信号回収についてＬＭＵ１３１の計画を行い、アップリンク到達時間差（Ｕ‐ＴＤＯＡ）、到達角度（ＡＯＡ）、または混成定位ソリューション（ＨＬＳ）の定位推定計算を行う。
【００５０】
ＷＬＧ１３３は、ＬＩＭＳ１３７、ＬＭＳ１３６、ＧＭＬＣ１２２、またはキャリアネットワーク１０１および１０２からトリガを受信し、ＷＬＰ１３２に対してタスクを課し、推定所在地をＬＩＭＳ１３７またはＧＭＬＣ１２２に提供する。ＷＬＧはまた、顧客ネットワークオペレーションセンター（ＮＯＣ）（図示せず）へ外部警告通知を提供する。
【００５１】
ＴｒｕｅＰｏｓｉｔｉｏｎによるＥＭＳ（ＴＰ  ＥＭＳ）１３４は、構成、性能管理、ステータス、および障害管理を含む定位機器のネットワーク管理を実施する。
【００５２】
ＳＣＯＵＴ（登録商標）ツール１３５は、ＬＭＵネットワーク１３１およびＳＭＬＣクラスタ１４０で構成される無線定位システム（ＷＬＳ）のセットアップに使用される。
【００５３】
リンクモニタリングシステム（ＬＭＳ）１３６は、移動体装置およびセルラーネットワーク間の制御メッセージを抽出し、ＷＬＧに対してネットワークイベントに基づくトリガを提供する。ＬＭＳ１３６は、ネットワークプローブおよび電波プローブの双方をサポートする。
【００５４】
ＬＩＭＳクライアント１３８は、ＬＩＭＳを操作して出力を表示するために使用されるマンマシンインタフェース（ＭＭＩ）である。
【００５５】
ＬＩＭＳ  ＥＭＳ１３９は、ＬＩＭＳ１３７、ＬＭＳサーバ、およびプローブ１３６を通じてネットワーク管理を提供する。
【００５６】
ＳＭＬＣ１４０は、ＷＬＰ１３２およびＷＬＧ１３３の機能のためのロケーションネットワークサーバの分布クラスタである。
【００５７】
ＬＭＵ−ＷＬＰ間インタフェース１４１は、切替回路トランク、またはＥｔｈｅｒｅｔのようなＩＰ基盤移送を介して多重化されたデジタルデータリンクである。
【００５８】
ＷＬＰ−ＷＬＧ間インタフェース１４２は、高速Ｅｔｈｅｒｎｅｔ（登録商標）またはトークンリング通信インタフェースである。
【００５９】
ＷＬＤ−ＥＭＳ間インタフェース１４３は、Ｅｔｈｅｒｎｅｔ通信インタフェースである。
【００６０】
ＷＬＧ−ＳＣＯＵＴ間インタフェース１４４は、Ｅｔｈｅｒｎｅｔ通信インタフェースである。ＷＬＧ−ＬＭＳ間インタフェース１４５は、高速Ｅｔｈｅｒｎｅｔまたはトークンリング通信インタフェースである。
【００６１】
ＨＬＲのＳＳ７接続１４６は、Ｄ（ＭＳＣから）、Ｇ（ＳＧＳＮから）、およびＬｈインタフェースとしての機能を担うものである。
【００６２】
ＧＭＬＣのＳＳ７ネットワーク相互接続１４７は、ＨＬＲ１２１との通信用Ｌｈインタフェースに加え、ＭＳＣ１２０およびＳＧＳＮ１１９との通信用Ｌｇインタフェースを含む。
【００６３】
ＬＭＳ１３６を有線もしくは無線の分散プローブに接続するＲＡＮプローブインタフェース１４８は、通常、Ｅｔｈｅｒｎｅｔ通信インタフェースである。
【００６４】
ＬＭＳ１３６をＳＳ７ネットワークプローブに接続するコアネットワークプローブインタフェース１４９は、通常、Ｅｔｈｅｒｎｅｔ通信インタフェースである。
【００６５】
ＬＩＭＳ−ＷＬＧ間インタフェース１５０は、高速Ｅｔｈｅｒｎｅｔまたはトークンリング通信インタフェースである。
【００６６】
ＬＩＭＳ−ＧＭＬＣ間インタフェース１５１は、高速Ｅｔｈｅｒｎｅｔまたはトークンリング通信インタフェースである。
【００６７】
ＬＩＭＳクライアントインタフェース１５２は、通常、Ｅｔｈｅｒｎｅｔ通信インタフェースである。ＬＩＭＳのＥＭＳインタフェース１５３は、通常、Ｅｔｈｅｒｎｅｔ通信インタフェースである。
【００６８】
メタデータのデータベースインタフェース１５４は、具体的にはファイバーチャンネルのようなデータベース記憶インタフェースとして設計された大容量高速インタフェースであってもよいし、あるいは容量およびローカルネットワーク構築能力に応じたより汎用なＥｔｈｅｒｎｅｔタイプのインタフェースであってもよい。
【００６９】
履歴データベースインタフェース１５５は、ファイバーチャンネルのようなデータベース記憶に特化した大容量高速インタフェースである。
【００７０】
ＬＭＳ−ＬＩＭＳ間インタフェース１５６は、高速Ｅｔｈｅｒｎｅｔまたはトークンリング通信インタフェースである。
【００７１】
無線エアインタフェース１５７は、第３世代移動体通信システム（３ＧＰＰ）標準化プロジェクトに現在取り組んでいる欧州電気通信標準化機構（ＥＴＳＩ）によるＧＳＭに特化したＵｍインタフェースである。
【００７２】
移動局１５８は、ＧＳＭ対応移動体装置であるか、マルチモードのＧＭＳ／ＧＰＲＳ／ＳＭＳボイスおよびデータ用移動端末であってよい。ＵＭＴＳモードが加わると、移動体装置１５８はＵＥすなわちユーザ装置として知られる。
【００７３】
一例としてのＬＩＭＳネットワーク
図２は、ＬＩＭＳネットワークの一例を詳細に示すものである。ＬＭＳ２０１および２０２は、実際には、その機能を同一のサーバプラットフォームまたはサーバのクラスタにおいて連結できるものの、ＬＩＭＳ展開２００から分離している。ＬＩＭＳおよびＬＭＳは、必要容量、モニタリング対象の無線キャリア数、または地理的サービスエリアに基づき、１対１または１対多数の構成で展開される。
【００７４】
ＬＩＭＳコントローラ２０３は、ＬＭＳプラットフォーム２０１および２０２への汎用デジタルデータ相互接続を用いる。コントローラ２０３は、認証およびアクセス制御を行うファイアウォールであり、かつ、パケットルータである。ルータ機能の一部として、コントローラ２０３は、イベント計画、パケットフィルタリング、およびサブシステム間通信を実施する。コントローラ２０３の通信インタフェース２１１および２１２を介して、ＬＭＳネットワーク２０１および２０２のセットアップ、モニタリング、および制御も実施する。上記コントローラ２０３はまた、複合トリガを作成するための前述の制御ロジックおよびアルゴリズムを含み、単一のサーバまたはサーバ群であってよい。
【００７５】
コントローラ２０３は、ＬＭＳ２１１および２１２で取得された無線ネットワークトランザクションに係る情報を、高速データベースインタフェース２１３を介してデータベース２０４へと送達する。高精度定位、関連データ（メタデータ）、およびセンサフュージョン（例えば、画像認識、写真、ビデオメトリック識別情報）データのような追加情報は、ＬＩＭＳ展開２００（図示のとおり）に対して遠隔的に収容されるか内蔵される追加データベース２０５に記憶されてもよい。その他のデータベース２０５に対するインタフェース２１４は、展開の様態によるものの、ローカルエリアネットワーク（ＬＡＮ）、広域ネットワーク（ＷＡＮ）、またはデータベース固有インタフェースのいずれかの形態を採ることができる。
【００７６】
コントローラ２０３は、ローカルユーザ局２１０と遠隔ユーザ局２０７とを相互接続する汎用Ｅｔｈｅｒｎｅｔインタフェース２２２および２１８を介し、２１３を介して、データベース２０４からのデータベース化無線ネットワークトランザクション情報の回収を可能にする。
【００７７】
ＬＩＭＳ展開のローカルエリアネットワーク２１７は、コントローラ２０３の規則に従い、すべてのサブシステムに対してパケットデータの接続性を示す。コントローラは、内部所在地基盤サービスアプリケーションサーバ２０９がリンク２１９を介して接続し、マップデータベース２０８がデータリンク２２０を介して接続するのと同様に、Ｅｔｈｅｒｎｅｔ２１６を介してＬＡＮ２１７に接続する。
【００７８】
コントローラ２０３および関連のパケットデータネットワーク２１７を介したローカルユーザ局２１０および遠隔ユーザ局２０７は、データベース化された無線情報２０４へのアクセスを有し、また内部所在地基盤サービスアプリケーション２０９、外部所在地基盤サービスアプリケーション２０６、およびデジタルマッピングデータベース２０８に対してもアクセスを有する。外部アプリケーション２０６および遠隔ユーザ局２０７の相互接続２１５および２１６は、ブリッジ２２３によって翻訳された種々の移送リンクの形態を採ってよい。ブリッジ２２３はまた、追加認証、アクセス制御、モニタリング、および外部または遠隔要素２０６および２０７の進入に係る保安をサポートする。
【００７９】
実例としての複合トリガ−ＬＩＭＳ−ＩＥＤスキャン特性
ＬＩＭＳユーザは、潜在的な携帯電話爆発式ＩＥＤを使用するためにまもなく誰かが移動をする経路や、有線ＩＥＤの使用（またはその他の武器の使用）等で自動車を奇襲するために特定の道路および領域に沿って待機している個人の事前チェックが可能である。ＬＩＭＳユーザは、対象経路周辺にジオフェンスを設定する。ＬＩＭＳは、まず所定期間、履歴データベース１１０を振り返り、利用可能な最適所在地情報と、利用可能なイベントと、イベント、所在地、およびタイムスタンプ間の補間とに基づき、タイムフレーム内の同領域内に存在した可能性のあるすべての移動体装置の一覧を作成する特別アルゴリズムを作動する。これは所在地更新イベントのみ（例えば、アイドル状態であるか、静的状態であるか）の移動体装置を含むが、それは所在地更新がネットワークオペレータの構成したタイムアウトに基づく周期的なものであるからである。この構成は既知であり、どのくらい前に同領域内に潜在的移動体装置を判定するスキャンが行われたかを考慮した上で使用される。さらに、最近関心領域周辺に長く居座るといった行動が見られるあらゆる移動体装置、あるいは以上との関連で、最近移動体装置の起動または終了を行う行動が見られるあらゆる移動体装置を含む。さらに、既知の地形特性、共通移動経路、および可能性のある展望ポイントの使用等により、同解析の更なる改良を図ることができる。これにより、同領域に存在した可能性のある移動体装置の候補一覧を作成し、ユーザ入力データに基づいてより高リスクのプロファイルを示す装置に高い優先度を与えることができるのである。
【００８０】
そしてＬＩＭＳアルゴリズムは、一覧表内の各装置につき、所在地を高精度で自動取得する種々の手段を使用する。通話またはデータセッションにおいてアクティブ状態にある装置は、関心領域内またはその付近に依然として存在する場合、即座に定位および判定することができる。現在アクティブ状態にない装置は、ネットワーク種別およびサポートされた能力に応じて、ＡＴＩまたはＮＵＬＬ  ＳＭＳのような高度トリガを使用して刺激することができ、このような装置すべてにつき高精度定位が可能となり、これによりその所在地を即時判定するのである。これらが同領域内に依然として存在する場合、脅威リスト上に即座に出現し、ユーザに対してこれらがどのくらいの期間そこに存在しているのかについての情報を示す。そしてＬＩＭＳは、これらの装置が同関心領域を去るまで定期的な追跡を続け、アルゴリズムが使用できなくなるまで同領域に進入する可能性のある他の装置についても追跡を続ける。
【００８１】
アルゴリズムについての以上の説明は一例であり、前述のデータソースを使用するように変更および改良が可能であることが了解される。また、このアプローチは、特定の関心領域内およびその周辺に数千の移動体装置が存在し得るような高度に密集した領域においては容易でないことも了解される。そのため、本アプローチが密集度の低い領域において最も有用であるが、より密集度の高い領域においても同手段で機能するよう調整および改良が可能である。この場合、ユーザが人であれば、解析および判断を下すのに際してより大きな脅威リストを有しているかもしれない。いずれにしても結果としての情報は、移動前のルートに沿ったリスクおよび潜在的脅威を査定するのに有用である。これらの結果は、ユーザに対して、道路沿いのどこに可能性のあるＩＥＤ（移動体装置爆発式ＩＥＤ）があるのか、手製ＩＥＤまたはその他の奇襲予定の可能性がある道路沿いのどこにアイドル状態が続く１つ以上の警戒対象があるのかを教示することができる。そしてユーザは、例えば、よりリスクが少ないと認められる代替経路の特定、またはその他の監視技術を同領域に当てることによる情報の立証、または以下のような装置の検証にも、提供された情報のうち合致すると考えられるものを利用することができる。
【００８２】
実例−ＩＥＤ遠隔爆発
以上の例において、ＬＩＭＳの提供する情報、代替インテリジェンスおよび／またはヒューマンインテリジェンスに基づき、潜在的携帯電話爆発式ＩＥＤが存在すると識別された場合、ユーザはＬＩＭＳを使用して通常ＳＭＳを送信するか同移動体装置に発信することにより、潜在的携帯電話により爆発可能なＩＥＤを刺激するよう決定可能である。それが典型的な携帯電話爆発式ＩＥＤであった場合、そのＩＥＤを制御つつ爆発することになる。この装置がＩＥＤでなければ、無害である。
【００８３】
図３は、履歴データおよびリアルタイムデータの解析において使用される一般的なＬＩＭＳで可能な特性を詳述するとともに、コマンド爆発式ＩＥＤのシナリオ検知用のＬＩＭＳ使用を説明する。ＬＩＭＳネットワーク（ＬＭＳを含む）は、単一のキャリアネットワーク（または多数のキャリアネットワーク）内に展開される。ＬＭＳ要素は、ネットワークイベントの選択を受動的に取得する一連のトリガで事前設定３０１される。これらのトリガは、移動体の起点、移動体の終点、所在地更新、ＩＭＳＩの脱着を含み、ネットワーク測定レポート（ＮＭＲ）のような追加的通話中イベントトリガを含むこともできる。このようなイベントの背景受動モニタリングおよびデータベース化は、無制限に継続される。ＬＩＭＳは、必要に応じてＬＭＳ内のネットワークトランザクショントリガを追加または削除し、ＬＩＭＳ内のＤＳＳのような解析ソフトウェアにおいて使用する複合関連トリガを容易化することができる。
【００８４】
（例えば車道のような）領域が保安対象である場合、ユーザは保安対象の地理的領域と、操作用の時間ウィンドウとを判定３０２する。それに応じて、ＬＩＭＳは一連の並行動作を開始する。まず、履歴データベースから送られたモニタリングされたイベントの履歴解析を開始３０３する。次いで選択領域の現在のアクティビティに係るリアルタイム解析を開始３０４する。リアルタイム解析および履歴解析の双方において、現在または通事的にモニタリングされた情報においてセルラーシステム情報（セルＩＤ、セクター、タイミング、および／または出力基盤の測距）から導き出された利用可能な最善の定位が使用され、選択された地理的領域内またはその付近での凡その領域における移動体装置の所在地を見出す。
【００８５】
一旦、まず凡その移動体装置識別情報および所在地が判定されると、ＬＩＭＳはその付随の高精度位置決め機器を計画し、内部フィルタリングおよびトリガ機能を設定し、その後、移動体装置の第１セットにつき、静かにポーリングを行う（このアクティブかつ静かなポーリングでは、（ＣＡＭＥＬフェーズＩＩＩ、ＩＶにおける）ＳＭＳ−ＣまたはＧＭＬＣにより提供された随時質問（ＡＴＩ）またはｎｕｌｌ−ＳＭＳの能力を使用する。高精度定位には、ＴＤＯＡ、ＡｏＡ、ＡｏＡ／ＴＤＯＡ、および混成を含む。
【００８６】
ＬＭＳおよびＰＤＥを使用して、ネットワークトランザクションのトリガ機能および関連無線アップリンク送信が検知され、高精度定位が実施３０７される。ＬＩＭＳが、定位速度、定位精度（可能な限りの再試行が必要となる場合がある）、および選択されたデータを通じた定位を最適化することに関し、ＰＤＥリソースおよびアクティブなポーリングの予定を担う。（例えばＬＩＭＳは、まず経路開始点により近接した移動体装置、または経路に対して接近している可能性の最も高い移動体装置を予定してよい。）
高精度定位が利用可能であれば、ＬＩＭＳは、高精度定位による通事的挙動の解析を開始する。ＬＩＭＳは、同経路に近接していない移動体を第１リストから除外する。新たな移動体装置が選択領域に随時進入する可能性があるため、リアルタイム解析３０４により、高精度リソース３０５、アクティブなポーリング３０５、および高精度定位３０７が選択された時間ウィンドウ内で随時、追加で予定される。規則ベースの決定サポートシステムを使用して、新たに精査した移動体装置の第２リストが解析され、疑わしい挙動、および経路への近接の調査３０８を行う（例えば、起動以来一度も通話をしていない携帯電話が、多数回の周期的登録サイクルを通じて同道路に非常に近接している場合にフラグ付けを行う）。ＤＳＳは、疑わしい移動体装置を優先させ、移動体識別子、所在地、および優先度の第２リストすべてを、脅威リストとしてユーザに提示３１０する。そしてユーザは、以上に詳述した種々の選択肢から選択することができる。ＬＩＭＳおよび付随のサブシステムは、時間ウィンドウが閉じるまで、または現在の動作がユーザによって中断されるまで、この動作を継続する。実施された高精度定位に加え、ＬＩＭＳ内のトリガ初期セットまたはトリガ追加セットに応じてＬＭＳにより生成されたイベントがすべて、時間、移動体識別子、イベント、および所在地により索引付けられた履歴データベースに記憶される。解析中にＬＩＭＳにより生成されたメタデータは、時間、移動体識別子、イベント、所在地、将来の使用または検討に使用する関係および優先度により索引付けされうるメタデータのデータベースに記憶される。伝達されたリスク査定を使用して、ユーザは、いくつかの方法により、移動体装置３１１を無効にするａを選択可能である。ローカル無線オペレータとの協働により、移動体装置のさらなるネットワークアクセスを拒絶することができる。ダイアル可能な電話番号を含む識別情報が周知であるため、同装置にはメッセージ送信（ショートメッセージサービス（ＳＭＳ））がなされるか、あるいは通話発信がなされる（おそらく爆発が引き起こされる）。あるいは、手動の観察および無効化のために、地域の担当者を同位置へと向かわせることができる。無効化できない場合は、ＬＩＭＳにより、同装置の更なる無線アクティビティをモニタリングするか、地域の職員またはビデオ手段による観察下に置くようにすればよい。
【００８７】
実例−関係性基盤トリガ
多くのシナリオにおいて、個人の仲間およびその対応移動体装置に係る情報を得ることが望ましい。この自動取得として、関係性に基づくトリガの設定が可能なＬＩＭＳを介したものがある。関係性に基づくトリガの一例としては、独自のＩＤ（例えば、ＩＭＥＩ、ＩＭＳＩ、およびＭＳＩＳＤＮ）で示される、特定装置と接触するあらゆる装置がある。他の装置がこの特定装置に対する（あるいは特定装置からの）ＳＭＳ、データメッセージ、または通話を発信（または受信）すると、ＬＩＭＳは他の装置に対して即座に高精度定位を始動させることができる。これを使用することにより、この装置に対して関係性に基づくトリガを実行するようにＬＩＭＳを設定しつつ、同領域に「おとり」を送ることによって、潜在的ＩＥＤを爆発させることができる。ＩＥＤが爆発すると、ＬＩＭＳは、その発信元／送信元装置を瞬時に定位し、その情報をＬＩＭＳユーザに提供する。発信元の対象が直後に同装置の電源を切ったとしても、付近のリソースが展開可能であるか、または近隣のその他の移動体装置につき、同対象またはその仲間に属する可能性があるものとしてフラグ付けを行って追跡することが可能であるため、瞬時に取得した発信元対象に係る高精度の所在地情報は、とても有用な情報である。実際にトリガとなった装置の電源が切られなかった場合には、ユーザ定義の期限内に高精度で追跡可能である。双方のケースにおいて、この装置を追跡することで、追加情報の収集と容疑者の検挙とが可能になる。
【００８８】
一般的に、関係性に基づくトリガを使用して、これを自動延長することができ、ＳＭＳまたは通話を介してこの装置と通信を行った他のあらゆる移動体装置につき、その所在地と情報とを高精度で自動入手することができる。これは反復可能であり、トランザクション時および選択的にその後に一覧に掲載された各装置の高精度所在地でスタンプ付けされた一連の関係性データを生成することができる。関係性に基づくトリガの他の例としては、（同装置が互いに直接通信を行ったことがなくても）２つ以上の移動体装置が互いに近接したままであり、高精度で一旦確認され、道路に沿って高速移動するときに一緒に存在する（車に一緒に乗車している）等、種々の相関関係技術に基づいて関連性が明らかになり、移動しながらも所定期間行動を共にする傾向にある場合が挙げられる。
【００８９】
ＬＩＭＳは、低精度情報に基づくアルゴリズムに応じて、この種の合致の潜在的候補を判定し、必要に応じて高精度定位を始動することで、潜在的な合致を有効化もしくは無効化する。これは、既知の移動体装置に基づいてもよく（例えば、既知の移動体であり、その時点で地理的に相関関係にある他の移動体装置を検索する）、あるいは完全にランダムな総当りアプローチであってもよく（ＬＩＭＳが履歴データベースを調査して合致をランダムに発見および判定する）、あるいは地理的情報に基づいてもよい（開始点として使用される特定領域に頻繁に出現して相関関係にある他者を見つけ出そうと探している装置）。一旦ＬＩＭＳが高い可能性で２つ以上の移動体装置の地理的関連性を判定すると、ＬＩＭＳユーザに警告を与え、生成されたメタデータを後の使用のために記憶することができる。
【００９０】
結論
本発明の真の範囲は、本明細書に開示した現在好適な実施形態に限定されるものではない。例えば、以上に開示の好適な実施形態に係る無線定位システムは、ＬＭＳ（リンクモニタリングシステム）、ＲＮＭ（無線ネットワークモニタ）、サービス移動体位置センター（ＳＭＬＣ）、所在地測定ユニット（ＬＭＵ）等の説明用語を使用したが、これは、以下の請求項の保護範囲を限定し、または無線定位システムの発明的側面が開示の特定方法および装置に限定されることを意図するものと解釈されてはならない。さらに、当業者に了解されるように、本明細書に開示した発明的側面の多くは、汎用ハードウェア処理プラットフォームにおいて作動するソフトウェアアプリケーションに基づくものである。実質的には、機能を担う実体は、本明細書に開示の発明的概念から逸脱しない範囲で種々の形態を採り得るプログラム可能なデータ収集処理装置である。デジタル信号処理およびその他の処理機能のコストを早急に低減することを考慮するのであれば、例えば、システムの発明的動作を変更することなく、特定機能の処理を本明細書に開示のある機能要素（例えばＬＩＭＳ）から他の機能要素（例えばＳＭＬＣ）に移行することが容易に可能になる。多くの場合、本明細書に開示の実施箇所（すなわち、機能要素）は単に設計者の選択によるものであり、必須ではない。したがって、限定する旨の明示がない限り、以下の請求項の保護範囲は、前述の特定の実施形態に限定されることを意図するものでない。
【図１】
2013514736.tif 000003
【図２】
2013514736.tif 000004
【図３】
2013514736.tif 000005
【図１ａ】
2013514736.tif 000006
【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
所在地情報管理システム（ＬＩＭＳ）であって、
コントローラコンピュータと、
前記コントローラコンピュータに対して動作可能に連結され、ネットワークイベントの履歴データを記憶するよう構成された履歴データベースと、
前記コントローラコンピュータに対して動作可能に連結され、メタデータを記憶するよう構成されたメタデータデータベースとを備え、
前記ＬＩＭＳは、無線ネットワークと、無線定位ネットワークと、ネットワーク情報、地理的情報、手動入力情報、および地理空間情報を含むオフラインソースとを含む多数のソースからの過去および現在のリアルタイムデータを利用し、多数のユーザおよび実体に亘る無線定位リソースの利用を最適化し、所在地認識インテリジェンスを生成するよう構成されることを特徴とするＬＩＭＳ。
【請求項２】
前記ＬＩＭＳはさらに、多数のソースから取得した過去およびリアルタイムのデータを解析し、メタデータの形態でインテリジェンスを生成し、前記メタデータを前記メタデータデータベースに記憶するよう構成されることを特徴とする請求項１に記載のＬＩＭＳ。
【請求項３】
前記ＬＩＭＳはさらに、事前に生成したメタデータを反復使用することにより、リアルデータおよびメタデータの双方を使用する新たな解析に自動的に与えるように構成され、
前記解析では、関心対象の潜在的挙動の識別、前記関心対象挙動に関連付けられた特定の移動体ユーザの識別、移動体装置ユーザ同士の関連付け、および移動体装置ユーザの識別を含む情報を生成することを特徴とする請求項２に記載のＬＩＭＳ。
【請求項４】
前記ＬＩＭＳは、優先度、精度、システム容量、位置判定実体（ＰＤＥ）の地理的分布、地形、人為的情報、およびネットワーク情報を含む要素の組み合わせに基づき、所在地リソースの利用を管理することを特徴とする請求項３に記載のＬＩＭＳ。
【請求項５】
前記ＬＩＭＳはさらに、特定の無線定位がいつ必要となるか、前記特定の無線定位がどの程度の精度で必要となるか、および与えられた現在の状況においてそれをどこで取得するのが最適かを判定するよう構成されることを特徴とする請求項４に記載のＬＩＭＳ。
【請求項６】
低精度定位に対して高精度定位をいつ要求するかを自動決定可能な決定サポートシステム（ＤＳＳ）ソフトウェアアプリケーションをさらに備えることを特徴とする請求項５に記載のＬＩＭＳ。
【請求項７】
前記ＤＳＳアプリケーションは、規則、データベース化された所在地、識別情報、およびトランザクション情報を使用することにより、ユーザ、移動体装置、関心対象所在地、およびその他の移動体装置間の関係を含むメタデータを決定する一連の優先的状況データに基づいて、一連のシナリオを判定することを特徴とする請求項６に記載のＬＩＭＳ。
【請求項８】
前記ＬＩＭＳはさらに、動的条件付ロジックとともにアクティビティおよび所在地の多次元ヒストグラムを使用することにより、近接による関連性判定を行い、この情報をトリガイベントとして使用するよう構成されることを特徴とする請求項７に記載のＬＩＭＳ。
【請求項９】
前記ＬＩＭＳはさらに、代替として所在地を使用することにより、ユーザと、ユーザ、グループ、および関心対象所在地間の関係とを識別するよう構成されることを特徴とする請求項８に記載のＬＩＭＳ。
【請求項１０】
前記ＤＤＳアプリケーションによってメタデータ解析が使用されることにより、移動体装置の反復リスクプロファイルを蓄積することを特徴とする請求項９に記載のＬＩＭＳ。
【請求項１１】
高リスク閾値を有する移動体装置には、追加精査が施されることを特徴とする請求項１０に記載のＬＩＭＳ。
【請求項１２】
前記履歴データベースは、トリガによるイベントを含み、
前記イベントは、ＩＭＳＩ、ＩＭＥＩ、ＭＳ−ＩＳＤＮ、およびＴＭＳＩ識別子を含む移動体識別子と、受信番号、発信番号、およびメッセージ種別を含むイベント詳細と、イベント報告から取得の無線ネットワークパラメータより収集した所在地情報とを含むことを特徴とする請求項１１に記載のＬＩＭＳ。
【請求項１３】
前記ＬＩＭＳはさらに、マスデータの動作アルゴリズムへのリアルタイムにおける流れ、過去のネットワークイベントに係る履歴データ、過去のメタデータ、およびユーザ提供データの組み合わせより、複合トリガを生成するよう構成されることを特徴とする請求項１２に記載のＬＩＭＳ。
【請求項１４】
前記ＬＩＭＳはさらに、移動体装置の発信パターンおよび履歴を解析に使用し、登録および所在地更新を含む非通話関連情報を使用することにより疑わしい挙動およびイベントを認識するよう構成されることを特徴とする請求項１３に記載のＬＩＭＳ。
【請求項１５】
前記履歴データベースは、所在地更新、ハンドオーバー、起動時ＩＭＳＩ取付、および終了時登録抹消を含むメッセージ送信関連イベントと無線通信ネットワークの制御イベントとの双方に係る記録を含むことを特徴とする請求項１４に記載のＬＩＭＳ。
【請求項１６】
トリガ情報およびその他のデータを、イベント、時刻、およびジオフェンス境界に関してデータベース化された情報と組み合わされた一連のｉｆ−ｔｈｅｎ−ｅｌｓｅルールでＤＳＳにより処理することでメタデータを生成し、
前記メタデータにより、前記ＬＩＭＳは、識別情報、目的、および他の移動体ユーザとの関係に対する代替として移動体の所在地を使用する解析が可能となることを特徴とする請求項１５に記載のＬＩＭＳ。
【請求項１７】
前記履歴データベースは、
ＴＭＳＩ、ＩＭＳＩ、ＩＭＥＩ、およびＭＳＩＳＤＮの１つ以上を含む、前記特定の移動体に関して利用可能なすべての既知の識別子を含んだ各イベント毎の選択情報を含む、一連の移動体装置のカバー領域において発生したネットワークイベントトランザクションに係る情報と、
ハンドオーバ、移動体発信通話、受信ＳＭＳ、ダイアル番号、およびタイムスタンプを含む前記イベント種別を含んだイベント関連情報と、
ネットワーク種別に応じたイベント関連ネットワーク情報と、
算出した所在地を含む特定のイベント毎のメタデータとを含むことを特徴とする請求項１６に記載のＬＩＭＳ。
【請求項１８】
前記メタデータデータベースは、
マップ情報と、セルサイト所在地、アンテナ情報、および過去に作動した特定アルゴリズムの定位結果を含むネットワーク情報とを含むユーザ入力情報と、
前記ＬＩＭＳの処理またはアルゴリズムの結果として生成される情報とを含むことを特徴とする請求項１７に記載のＬＩＭＳ。
【請求項１９】
所在地情報管理システム（ＬＩＭＳ）の動作において使用される方法であって、
ネットワークイベントの履歴データを記憶する履歴データベースを維持するステップと、
メタデータを記憶するメタデータデータベースを維持するステップと、
前記履歴データベースおよび前記メタデータデータベースからの過去および現在のリアルタイムデータを利用して、多数のユーザおよび実体に亘って無線定位リソースの計画および選択を行うステップとを備えることを特徴とする方法。
【請求項２０】
以下のソースからのデータを利用して無線定位リソースの計画および選択を行うステップをさらに備え、
以下のソースとは、
無線ネットワークと、
無線定位ネットワークと、
ネットワーク情報、地理的情報、手動入力情報、および地理空間データを含むオフラインソースとであることを特徴とする請求項１９に記載の方法。
【請求項２１】
前記履歴データベースは、トリガによるイベントを含み、
前記イベントは、ＩＭＳＩ、ＩＭＥＩ、ＭＳ−ＩＳＤＮ、およびＴＭＳＩ識別子を含む移動体識別子と、受信番号、発信番号、およびメッセージ種別を含むイベント詳細と、イベント報告から取得の無線ネットワークパラメータより収集した所在地情報とを含むことを特徴とする請求項１９に記載の方法。
【請求項２２】
前記履歴データベースは、所在地更新、ハンドオーバー、起動時ＩＭＳＩ取付、および終了時登録抹消を含むメッセージ送信関連イベントと無線通信ネットワークの制御イベントとの双方に係る記録を含むことを特徴とする請求項１９に記載の方法。
【請求項２３】
前記履歴データベースは、
ＴＭＳＩ、ＩＭＳＩ、ＩＭＥＩ、およびＭＳＩＳＤＮの１つ以上を含む、前記特定の移動体に関して利用可能なすべての既知の識別子を含んだ各イベント毎の選択情報を含む、移動体装置セットのカバー領域において発生したネットワークイベントトランザクションに係る情報と、
ハンドオーバ、移動体発信通話、受信ＳＭＳ、ダイアル番号、およびタイムスタンプを含む前記イベント種別を含んだイベント関連情報と、
ネットワーク種別に応じたイベント関連ネットワーク情報と、
算出した所在地を含む特定のイベント毎のメタデータとを含むことを特徴とする請求項１９に記載の方法。
【請求項２４】
前記メタデータデータベースは、
マップ情報と、セルサイト所在地、アンテナ情報、および過去に作動した特定アルゴリズムの定位結果を含むネットワーク情報とを含むユーザ入力情報と、
前記ＬＩＭＳの処理またはアルゴリズムの結果として生成される情報とを含むことを特徴とする請求項１９に記載の方法。
【請求項２５】
イベント、時刻、およびジオフェンス境界に関してデータベース化された情報と組み合わされた一連のｉｆ−ｔｈｅｎ−ｅｌｓｅルールでトリガ情報およびその他データを処理することにより、識別情報、目的、および他の移動体ユーザとの関係に対する代替として移動体の所在地を使用する解析において使用するメタデータを生成するステップをさらに備えることを特徴とする請求項１９に記載の方法。
【請求項２６】
メタデータを使用することにより、定位処理のための複合トリガを生成するステップをさらに備えることを特徴とする請求項１９に記載の方法。
【請求項２７】
リアルタイムネットワーク情報との連携において前記履歴データベース内のネットワークイベント情報を使用して、複合トリガを生成するステップをさらに備え、
前記複合トリガは、いつ少なくとも２つの移動体装置が一定期間周回しながらともに存在しているかを示し、引いては、前記少なくとも２つの移動体装置がともに移動していることを意味することを特徴とする請求項２６に記載の方法。
【請求項２８】
前記ネットワークから来る前記リアルタイムデータとの比較において、履歴データに基づき、ＳＩＭスワッピングを自動検知するための複合トリガを生成するステップをさらに備えることを特徴とする請求項２６に記載の方法。
【国際調査報告】
2013514736.tif 000007